(57)【要約】【課題】動刃の回動性に優れ、かつ、メンテナンスが容易な鋏を、低廉なコストで提供することである。【解決手段】第１の刃体と第２の刃体とが枢支され、この枢支部分における第１の刃体と第２の刃体との対向面部には凹部が設けられてなる鋏であって、前記凹部にはパッキン体およびオイル保持シートが配設されてなる。【選択図】　図２
2004049434.tif 000002
【特許請求の範囲】
【請求項１】
第１の刃体と第２の刃体とが枢支され、この枢支部分における第１の刃体と第２の刃体との対向面部には凹部が設けられてなる鋏であって、
前記凹部にはパッキン体およびオイル保持シートが配設されてなる
ことを特徴とする鋏。
【請求項２】
パッキン体の上および／または下の端面に凸部がリング状に形成されており、前記リング状凸部の内側にオイル保持シートが配設されてなることを特徴とする請求項１の鋏。
【請求項３】
パッキン体は同心状に配設された複数個のリング体からなり、この同心状に配設されたリング体の間にオイル保持シートが配設されてなることを特徴とする請求項１の鋏。
【請求項４】
パッキン体は積重配設された複数個の円板体からなり、この積重配設された円板体の間にオイル保持シートが配設されてなることを特徴とする請求項１の鋏。
【請求項５】
第１の刃体と第２の刃体との対向面部に設けられた凹部は円形状であって、この円形状凹部に配設されるパッキン体は外周が円形である
ことを特徴とする請求項１〜請求項４いずれかの鋏。
【発明の詳細な説明】
【０００１】
【発明の属する技術分野】
本発明は鋏に関する。
【０００２】
【発明が解決しようとする課題】
鋏は、基本的には、動刃（第１の刃体）と静刃（静刃も使用形態によっては動刃となる場合があるので、第２の刃体の言葉で表現）とからなり、動刃と静刃とが枢支された構造を持つ。そして、動刃と静刃とによる切断を良好なものとする為、これらの刃の間には触点機構が設けられている。この触点機構によって、動刃と静刃との刃先の接触点が効果的に切り合わさるようになり、これによって切れ味が確保される。
【０００３】
ところで、近年では、この触点機構として、図８に示される構成が提案されている。すなわち、動刃２１と静刃２２とはピン２３によって枢支されており、この枢支部における動刃２１と静刃２２との各々の対向面には凹部２４，２５が形成され、この凹部２４，２５に触点機能を奏するパッキン体２６が嵌合されている。
【０００４】
そして、動刃の回動を一層スムーズなものとする為、パッキン体２６の上下両面の各々に数多くの微細な凹部２７，２８を設け、この微細な凹部２７，２８内に潤滑剤が充填されてなる鋏が提案（特許第２７６０７４４号）されている。
【０００５】
しかしながら、この提案の鋏は、数多く形成されている凹部にオイルが充填されているに過ぎない為、使用に際して、オイルが毛細管現象によって漏れ出て来て、これが髪のカットに際しては髪に付着したり、又、カットされた髪の切れ端が漏れ出たオイルに導かれて動刃と静刃との隙間に侵入し易くなり、動刃のスムーズな動きを阻害したりする問題の有ることが判って来た。更には、凹部は小さいものであるから、一つの凹部に充填されるオイル量は少なく、毛細管現象で漏れ出て無くなってしまう恐れが高い。そして、オイルの補充頻度が高く、面倒である。
【０００６】
又、パッキン体にボールベアリングが埋め込まれたものも提案（特開２０００−３１７１５５）されている。
【０００７】
しかしながら、ボールベアリングを埋め込んだ提案になるものは、構造が複雑になり、それだけコストが高く付く。
【０００８】
従って、本発明が解決しようとする課題は、上記課題を解決することである。特に、低廉なコストの鋏を提供することである。かつ、動刃の回動性に優れた鋏を提供することである。更には、メンテナンスが容易な鋏を提供することである。
【０００９】
【課題を解決するための手段】
前記の課題は、第１の刃体と第２の刃体とが枢支され、この枢支部分における第１の刃体と第２の刃体との対向面部には凹部が設けられてなる鋏であって、
前記凹部にはパッキン体およびオイル保持シートが配設されてなる
ことを特徴とする鋏によって解決される。
【００１０】
すなわち、パッキン体は、通常、オイルを担持できるような材料では構成されていない。例えば、硬質な樹脂などで構成されることが多い。つまり、柔らかで吸油性の材料でパッキン体を構成していると、触点部材としての機能が奏し得ない。この為、パッキン体は、オイルを担持できるような素材で構成されていない。従って、パッキン体に凹部を形成し、この凹部にオイルを充填しているのみであれば、凹部内のオイルは毛細管現象によって容易に漏れ出てしまう。
【００１１】
しかしながら、ここに、オイル保持シートを介在させておけば、オイルは漏れ出にくいものとなる。
【００１２】
すなわち、オイル保持シートの作用によってオイルは漏れ出にくいから、オイル補充の頻度を著しく改善できる。
【００１３】
しかも、オイルが漏れ出にくいと言うことは、髪のカットに際して、髪にオイルが付着し難いことを意味するから、極めて好都合である。しかも、漏れ出たオイルに導かれて動刃と静刃との隙間にカットされた髪の切れ端が侵入し、動刃のスムーズな動きを阻害すると言った問題も解決される。
【００１４】
オイル保持シートの配設形態としては、幾つかが考えられる。
【００１５】
例えば、円板の上面および／または下面の中央部を穿つように取り除き、周囲に凸条のリングが形成されたパッキン体を用意し、このリング状凸部の内側にオイル保持シートを配設する。
【００１６】
この形態のものにあっては、パッキン体の中央凹部内にオイル保持シートが収納されているから、オイルは一層漏れ出にくいものとなる。かつ、パッキン体における触点機能を奏する部分は、周囲のリング状凸部であるから、すなわち広い面全体が触点機能を奏すると言うよりも、線が触点機能を奏するようになるから、触点機能が一層効果的なものになる。かつ、動刃や静刃とパッキン体との接触面積がそれだけ少ないから、抵抗がそれだけ少なく、動刃の回動性にそれだけ優れている。
【００１７】
上記では、パッキン体の外周部にリング状凸部を形成していることしか述べていないが、リング状凸部は枢支用のピンの周囲（パッキン体の内周部）にあっても良い。但し、ピンの部分にオイルが流れ易いように、リング状凸部は、図２に示される如く、パッキン体の外周部にのみ有る（パッキン体の内周部にはリング状凸部が無い。）方が好ましい。
【００１８】
又、次のような手法を採用することもできる。複数個、例えば２個のリング体を用意し、大きいリング体の孔内に小さいリング体を配置し、これでパッキン体を構成する。そして、同心状に配設されたリング体の間にオイル保持シートを配設する。このようにしても、オイル保持シートをパッキン体と共に第１の刃体と第２の刃体との対向面部に形成された凹部に配設できる。但し、前述のものと比べると、リング体を複数個用意しなければならず、それだけ鋏の組立てが面倒なものになる。かつ、パッキン体と動刃との接触面積は前述のものよりも大きくなるから、前述の形態のものの方が好ましい。
【００１９】
又、次の手法を採用することも出きる。複数個、例えば２個の円板体を用意し、この２枚の円板体を積重してパッキン体を構成する。そして、積重された円板体の間にオイル保持シートを介在させる。この場合には、リング体を同心状に配置する上記のものよりも、積重されている間にオイル保持シートを設けているから、圧力がオイル保持シートに掛かり易い。この為、リング体を同心状に配置する上記のものよりも、オイルが漏れ出やすくはなる。但し、上記２番目のものよりも鋏の組立ては容易である。
【００２０】
上記においては、パッキン体は、円板状あるいはリング状のもので説明した。これは、パッキン体およびオイル保持シートが配設される第１の刃体や第２の刃体の対向面部に設けられた凹部を円形状のものとしておけば、この凹部内に配設されるパッキン体を円板のものにしても差し支え無く、そうするとパッキン体も回動可能なものになるから、動刃の回動性が向上するからである。従って、基本的には、パッキン体や凹部の形状は円形を基本とするが、これに限られるものでは無い。
【００２１】
【発明の実施の形態】
図１〜図３は本発明になる鋏の第１実施形態を示すもので、図１は全体の平面図、図２は要部の拡大断面図、図３は要部の拡大平面図である。
【００２２】
各図中、１は動刃、２は静刃である。３は、動刃１の孔１ａと静刃２の孔２ａと後述のパッキン体６の孔６ａとに挿通され、動刃１と静刃２とを枢支する軸である。すなわち、動刃１は軸３を中心にして回動できるように構成されている。４は、動刃１の孔１ａの周囲であって、静刃２と対向する側の面に形成された円形状の凹部である。５は、静刃２の孔２ａの周囲であって、動刃１と対向する側の面に形成された円形状の凹部である。そして、図２からも判る通り、凹部４，５で構成される空間に触点機能を奏する円板状のパッキン体６が配設されている。このパッキン体６は、触点機能を奏するものであるから、硬質な熱硬化性樹脂やセラミックその他金属材で構成されている。尚、これ等の構成については良く知られている。
【００２３】
パッキン体６の上下両面には、その外周部がリング状の凸条となるよう中央部が穿かれている。すなわち、パッキン体６の両面に凹部７，８が形成され、その外周部にリング状凸部９，１０が形成されている。
【００２４】
パッキン体６に形成された凹部７，８には、不織布などで円形状に形成され、かつ、オイルの含浸させられたオイル保持シート１１，１２が配設されている。従って、動刃１とパッキン体６との間には、リング状凸部９の内側に位置する凹部７に配設されたオイル保持シート１１が存在しており、又、静刃２とパッキン体６との間には、リング状凸部１０の内側に位置する凹部８に配設されたオイル保持シート１２が存在している。従って、オイル保持シート１１，１２に含浸しているオイルが徐々に出て来、パッキン体と動刃との間、又、軸３とパッキン体６との間にオイルが存在し、動刃１の回動が格段にスムーズなものになる。
【００２５】
尚、オイルはオイル保持シート１１，１２によって担持されているから、毛細管現象によっても中々漏れ出ることが無い。このことは、オイルが無駄に喪失され難いことであり、すなわちオイルの利用効率が高まり、オイルの補充頻度が一段と少なくなる。かつ、オイルが無駄に漏れ出ないから、漏れ出たオイルがカットしている髪に付着すると言った問題も大幅に改善される。かつ、漏れ出たオイルに導かれて動刃と静刃との隙間にカットされた髪の切れ端が侵入し、動刃のスムーズな動きを阻害すると言った問題も大幅に改善される。
【００２６】
かつ、オイル保持シートの周囲にはリング状凸部９，１０が有るから、これが土手の役割を奏し、オイルはリング状凸部９，１０の外側に流出し難く、オイルが無くなり難い。
【００２７】
しかも、オイル保持シートに作用する力はリング状凸部９，１０によって規制を受けるから、大きな力が作用し、オイルを不必要に押出すと言ったことも改善される。
【００２８】
又、パッキン体６と動刃１や静刃２との当接は、リング状凸部９，１０の部分のみである。このことは、両者の接触面積がそれだけ少ないことを意味し、抵抗がそれだけ少なく、動刃１の回動性がそれだけ優れている。かつ、パッキン体６における触点機能を奏する部分はリング状凸部９，１０の部分であるから、面全体で触点作用を奏する場合よりもライン、更には点で受ける方が触点作用性に優れていることから、上記実施形態のものは触点作用性も高い。
【００２９】
上記実施形態においては、リング状凸部９，１０はリング一周が繋がっている場合を述べた。しかし、リング状凸部９，１０の所々が切れていて不連続なものであっても良い。このことを更に押し進めて行くと、図４に示す如く、例えば４箇所に半球状の凸部１３がパッキン体６の表面に形成されたに過ぎないものでも良い。勿論、オイルの流出防止と言う観点から考えれば、図２，３の如く、連続しているのが好ましい。又、リング状凸部は、パッキン体６の一面側にのみ設けられたものであっても良い。すなわち、オイル保持シート１２は無いものであっても良い。勿論、オイル保持シート１１，１２の双方が有る方が好ましいことは言うまでも無い。
【００３０】
図５，６は本発明になる鋏の第３実施形態を示すもので、図５は要部（パッキン体＋オイル保持シート）の平面図、図６は要部（パッキン体＋オイル保持シート）の断面図である。
【００３１】
本実施形態にあっては、大径のリング体６Ａの中に小径のリング体６Ｂを配置し、この２個のリング体６Ａ，６Ｂでパッキン体を構成し、リング体６Ａとリング体６Ｂとの間に、不織布などでリング状に形成され、かつ、オイルの含浸させられたオイル保持シート１４が配設されたものである。
【００３２】
図７は、本発明になる鋏の第４実施形態を示す要部（パッキン体＋オイル保持シート）の断面図である。
【００３３】
本実施形態にあっては、円板状パッキン体６Ｃと円板状パッキン体６Ｄとの間に、不織布などでリング状に形成され、かつ、オイルの含浸させられたオイル保持シート１５が配設されたものである。
【００３４】
【発明の効果】
動刃の回動性に優れ、かつ、メンテナンスが容易な鋏を、低廉なコストで提供できる。
【図面の簡単な説明】
【図１】本発明になる鋏の第１実施形態の全体の平面図
【図２】本発明になる鋏の第１実施形態の要部の拡大断面図
【図３】本発明になる鋏の第１実施形態の要部（動刃内面側）の拡大平面図
【図４】本発明になる鋏の第２実施形態の要部（動刃内面側）の拡大平面図
【図５】本発明になる鋏の第３実施形態の要部（動刃内面側）の平面図
【図６】本発明になる鋏の第３実施形態の要部の断面図
【図７】本発明になる鋏の第４実施形態の要部の断面図
【図８】従来の鋏の断面図
【図９】従来の鋏の平面図
【符号の説明】
１　　　　　　動刃（第１の刃体）
２　　　　　　静刃（第２の刃体）
３　　　　　　枢支軸
４，５　　　　凹部
６　　　　　　パッキン体
７，８　　　　凹部
９，１０　　　リング状凸部
１１，１２　　オイル保持シート
【図１】
2004049434.tif 000003
【図２】
2004049434.tif 000004
【図３】
2004049434.tif 000005
【図４】
2004049434.tif 000006
【図５】
2004049434.tif 000007
【図６】
2004049434.tif 000008
【図７】
2004049434.tif 000009
【図８】
2004049434.tif 000010
【図９】
2004049434.tif 000011